(57)【要約】【課題】刺繍を行う際に生地を固定するための刺繍枠に関し、生地の緊張状態の維持及び解除を行うための、枠の両端縁間の距離調整を従来に比べて容易に行うことができ、且つ全体の製造コストも従来に比べて低減させることができる刺繍枠を提供することを課題とする。【解決手段】ループ状の枠本体１の一部に切欠部４を有する刺繍枠において、前記切欠部４を隔てた枠本体１の両端縁の近傍に、面ファスナーを具備し且つ該面ファスナーの着脱位置により、前記枠本体１の両端縁間の距離を調整しうるように構成された面ファスナー調整機構５が設けられていることを特徴とする。【選択図】　　図１
2004107821.tif 000002
【特許請求の範囲】
【請求項１】
ループ状の枠本体（１）　の一部に切欠部（４）　を有する刺繍枠において、前記切欠部（４）　を隔てた枠本体（１）　の両端縁の近傍に、面ファスナーを具備し且つ該面ファスナーの着脱位置により、前記枠本体（１）　の両端縁間の距離を調整しうるように構成された面ファスナー調整機構（５）　が設けられていることを特徴とする刺繍枠。
【請求項２】
面ファスナー調整機構（５）　が、枠本体（１）　に固定される固定用面ファスナーと、該固定用面ファスナーに着脱可能な着脱用面ファスナーで構成され、着脱用面ファスナーで枠本体（１）　の両端縁間の距離を調整できるように構成されている請求項１記載の刺繍枠。
【発明の詳細な説明】
【０００１】
【発明の属する技術分野】
本発明は、刺繍を行う際に生地を固定するための刺繍枠に関する。
【０００２】
【従来の技術】
周知のように、刺繍枠は、刺繍を行う際に生地を固定するための用具であり、一般には、図８に示すように、円形ループ状の内枠２ｃと、同形状で一部に切欠部４ｃを有する外枠３ｃとからなり、その内枠２ｃと外枠３ｃとの間に生地を挟んで生地を固定するものである。
【０００３】
生地を挟んで固定するに際し、刺繍を施す上での作業性を良好にするためには、生地を緊張状態に維持する必要があり、そのような緊張状態は、上記のような切欠部４ｃを隔てた外枠３ｃの両端縁３ｄ，３ｅ　間の距離を狭めることによって実現される。
【０００４】
従って、このような外枠３ｃの両端縁３ｄ，３ｅ　間の距離を調整するための手段が必要となり、その手段として一般には調整ネジ１５が用いられている。このような調整ネジ１５は、図８及び図９に示すように、外枠３ｃの両端縁３ｄ，３ｅ　の近傍に取り付けられた取付金具１６のフランジ１７，１７　に孔１８，１８　が穿設され、その両フランジ１７，１７　の孔１８，１８　に調整用ボルト１９が挿通されるとともに、該調整用ボルト１９にナット２０が螺合され、この調整用ボルト１９の締付力を調整することによって外枠３ｃの両端縁３ｄ，３ｅ　間の距離が調整され、それによって上記のような生地の緊張状態を維持させ、或いはその緊張状態を解除させて生地が外枠３ｃと内枠２ｃ間から取り外されるのである。
【０００５】
【発明が解決しようとする課題】
しかし、上記のような従来の刺繍枠は、調整用ボルト１９にナット２０を螺合し、その調整用ボルト１９の締付力を調整することで外枠３ｃの両端縁３ｄ，３ｅ　間の距離を調整する構造のものであるため、その調整ための作業が煩雑となっていた。
【０００６】
また、このような調整ネジを構成する調整用ボルト１９、ナット２０、フランジ１７等はすべて金属製のものであり、このような部材で調整ネジ１５を構成することで、刺繍枠全体の製造コストも高くついていた。
【０００７】
本発明は、このような問題点を解決するためになされたもので、上記のような生地の緊張状態の維持及び解除を行うための、枠の両端縁間の距離調整を従来に比べて容易に行うことができ、且つ全体の製造コストも従来に比べて低減させることができる刺繍枠を提供することを課題とする。
【０００８】
【課題を解決するための手段】
本発明は、このような課題を解決するためになされたもので、その課題を解決するための手段は、ループ状の枠本体１の一部に切欠部４を有する刺繍枠において、前記切欠部４を隔てた枠本体１の両端縁の近傍に、面ファスナーを具備し且つ該面ファスナーの着脱位置により、前記枠本体１の両端縁間の距離を調整しうるように構成された面ファスナー調整機構５が設けられていることである。
【０００９】
面ファスナー調整機構５は、たとえば枠本体１に固定される固定用面ファスナーと、該固定用面ファスナーに着脱可能な着脱用面ファスナーで構成され、着脱用面ファスナーで枠本体１の両端縁間の距離を調整できるように構成される。
【００１０】
【発明の実施の形態】
以下、本発明の実施形態について図面に従って説明する。
【００１１】
本実施形態の刺繍枠の枠本体１は、図１及び図２に示すように、円形の閉ループ状に形成された内枠２と、円形の開ループ状に形成された外枠３とからなり、内枠２及び外枠３ともに全体が木製のものである。そして開ループ状の外枠３の両端縁３ａ，３ｂ　間には、切欠部４が形成されている。
【００１２】
そして、この外枠３の両端縁３ａ，３ｂ　間を跨ぐようにして、該両端縁３ａ，３ｂ　間の距離を調整するための面ファスナー調整機構５が設けられている。
【００１３】
面ファスナー調整機構５の構成を具体的に説明すると、外枠３の一端縁３ａ側の外側面近傍及び他端縁３ｂ側の外側面近傍には、それぞれ固定用面ファスナー６，７が固着されている。これらの固定用面ファスナー６，７は、詳細に図示はしないが、着脱部分となる櫛状部を外側に向けた状態で外枠３に固着されている。
【００１４】
前記外枠３の一端縁３ａ側に固着された固定用面ファスナー６に対面する位置には、着脱用面ファスナー８が取り付けられている。この着脱用面ファスナー８は、着脱部分となる櫛状部を内側に向けた状態で配置され、従って固定用面ファスナー６と着脱用面ファスナー８との櫛状部相互間が噛合状態となるように着脱用面ファスナー８が取り付けられている。
【００１５】
着脱用面ファスナー８の一端８ａ側は、金属製の連結リング１１に挿入され且つ巻回されて、固定用面ファスナー６と噛合していない着脱用面ファスナー８の内面側の所定位置（固定用面ファスナー６の一端６ａの近傍）に固着されている。
また着脱用面ファスナー８の他端８ｂは、固定用面ファスナー６の他端６ｂの近傍であって、該固定用面ファスナー６の他端６ｂを覆うような位置に配置されている。
【００１６】
また、前記外枠３の他端縁３ｂ側に固着された固定用面ファスナー７に対面する位置には、介装用面ファスナー１０が取り付けられている。この介装用面ファスナー１０は、着脱部分となる櫛状部を内側に向けた状態で配置され、従って固定用面ファスナー７と介装用面ファスナー１０との櫛状部相互間が噛合状態となるように介装用面ファスナー１０が取り付けられている。
【００１７】
この介装用面ファスナー１０の、櫛状部が存在しない外側面には、着脱用面ファスナー９が取り付けられている。この着脱用面ファスナー９は、櫛状部が存在しない面を介装用面ファスナー１０に対面させて、接着剤を介して接着されている。
【００１８】
外枠３の他端縁３ｂ側の着脱用面ファスナー９は、外枠３の一端縁３ａ側の着脱用面ファスナー８と同様に、金属製の連結リング１１に挿入され且つ巻回されている。このように金属製の連結リング１１に挿入され且つ巻回された状態で、着脱用面ファスナー９は、櫛状部を有する面が内面側となるように２つ折り状態とされ、その２つ折り状態の内面側が相互に対面した状態で、その対面した櫛状部相互間が噛合されている。
【００１９】
この噛合された状態で、着脱用面ファスナー９の一端９ａ側は、他端８ｂ側よりも切欠部４に近い側に形成されている。
【００２０】
そして、上記のような構成からなる刺繍枠を使用する場合には、２つ折り状態で対面する櫛状部相互間が噛合されていた外枠３の他端縁３ｂ側の着脱用面ファスナー９を、図３に示すように剥離させ、外枠３の両端縁３ａ，３ｂ　間を離間させると、内枠２の外周面と外枠３の内周面間にわずかではあるが隙間が生じ、その結果、その内枠２と外枠３間に刺繍を施すべき生地を挿入することが可能となる。
【００２１】
次に、図４に示すように、着脱用面ファスナー９の一端９ａ側を、外枠３の切欠部４から遠ざかる方向に引っ張り、２つ折り状態の内面側を対面させて櫛状部相互間を噛合させると、外枠３の両端縁３ａ，３ｂ　間が接近し、内枠２と外枠３間に挿入された生地は緊張状態とされる。これによって、刺繍を行う作業が容易となる。
【００２２】
このとき、着脱用面ファスナー９の一端９ａ側を、外枠３の切欠部４から遠ざかる方向に引っ張るほど、外枠３の両端縁３ａ，３ｂ　間が接近して生地の緊張状態が強固となり、引っ張り力を緩めると外枠３の両端縁３ａ，３ｂ　間が離間して生地の緊張状態が緩められることとなる。従って、着脱用面ファスナー９の一端９ａ側の引っ張り力によって生地の緊張状態が調節されることとなるのである。
【００２３】
この場合において、生地の緊張状態の調節や生地の刺繍枠への着脱は、上記のような面ファスナー調整機構５によって、具体的には着脱用面ファスナー９の引っ張り力を調節することによって行うことができるので、その調節のための作業を非常に容易に且つワンタッチで行うことができる。
【００２４】
尚、枠本体１が破損せず、着脱用面ファスナー８、９や連結リング１１のみが破損した場合には、固定用面ファスナー６と着脱用面ファスナー８との櫛状部相互間の噛合状態を解除するとともに、介装用面ファスナー１０と着脱用面ファスナー９との櫛状部相互間の噛合状態を解除して、両着脱用面ファスナー８，９を離脱させることによって、着脱用面ファスナー８，９のみを取り替えることができる。
【００２５】
尚、上記実施形態では、外枠３の他端縁３ｂ側の着脱用面ファスナー９が、介装用面ファスナー１０を介して固定用面ファスナー７に固着されていたが、このような介装用面ファスナー１０を介装させることは本発明に必須の条件ではなく、たとえば図５に示すように、固定用面ファスナー７に着脱用面ファスナー９を直接取り付けることも可能である。
【００２６】
ただし、この場合には、２つ折り状態にされた着脱用面ファスナー９の対面する内面側にのみ櫛状部が設けられているのみならず、固定用面ファスナー７の櫛状部に噛合させるために、着脱用面ファスナー９の外面側にも櫛状部が設けられている必要がある。従って、この場合には片面側にのみ櫛状部を有する一般の面ファスナーではなく，両面双方に櫛状部を有する特殊な面ファスナーを使用する必要がある。
【００２７】
さらに、上記実施形態では、固定用面ファスナー６，７や介装用面ファスナー１０を介して着脱用面ファスナー８，９が枠本体１に取り付けられていたため、着脱用面ファスナー８，９を離脱させて着脱用面ファスナー８，９のみを取り替えることができるという好ましい効果が得られたが、このような固定用面ファスナー６，７や介装用面ファスナー１０を介装させた上で着脱用面ファスナー８，９を設けことは本発明に必須の条件ではなく、たとえば図６に示すように、固定用面ファスナー６，７のみで面ファスナー調整機構５が構成されていてもよい。
【００２８】
この場合には、固定用面ファスナー６，７に連結用リング１１が連結されているとともに、外枠３の他端縁３ｂ側の固定用面ファスナー７が２つ折り状態とされ、その２つ折り状態の内面側が相互に対面した状態で、その対面した櫛状部相互間が噛合されることとなる。
【００２９】
尚、この場合、図６の実施形態のように、外枠３の一端縁３ａ側と他端縁３ｂ側との双方に固定用面ファスナー６，７を設けずに、図７のように外枠３の一端縁３ａ側のみに固定用面ファスナー６を設けることも可能である。この場合には、外枠３の他端縁３ｂ側には、たとえば図７のように連結用金具１２が直接取り付けられ、その連結用金具１２に固定用面ファスナー６が取り付けられることとなる。
【００３０】
さらに、上記実施形態では、着脱用面ファスナー８，９や固定用面ファスナー６，７が金属製の連結用リング１１を介して連結されていたが、連結用リング１１の材質は金属以外のものであってもよい。ただし、生地を着脱する際や生地に緊張状態を付与する点からは、金属等、一定の強度を有し且つコストの安価なものが好ましい。また、リング状以外の形態の連結用具を用いることも可能である。
【００３１】
さらに、固定用面ファスナー６，７や着脱用面ファスナー８，９の素材も問うものではない。たとえば面ファスナーボディ及び櫛状部の全体が合成樹脂で構成されていてもよく、また櫛状部のみが合成樹脂で構成され、面ファスナーボディは他の素材、たとえば皮革等の素材で構成されていてもよい。皮革で面ファスナーボディを構成した場合には、刺繍枠としての商品価値を高めることができるという利点がある。
【００３２】
さらに、上記実施形態では、外枠３と内枠２とからなる枠本体１が木製のもので構成されていたが、枠本体１の材質はこれに限定されるものではない。
【００３３】
尚、本発明の刺繍枠においては、上記実施形態のように枠本体１が外枠３と内枠２とで構成されたものが主として用いられるが、外枠３と内枠２との２つの枠で枠本体１を構成することは本発明に必須の条件ではなく、１つの枠のみで枠本体１を構成することも可能である。
【００３４】
さらに、上記実施形態では、枠本体１が円形のループ状に形成されていたが、枠本体１の形状も該実施形態に限定されるものではない。
【００３５】
【発明の効果】
以上のように、本発明は、ループ状の枠本体の一部に切欠部を有する刺繍枠において、前記切欠部を隔てた枠本体の両端縁の近傍に、面ファスナーが取り付けられ、且つ該面ファスナーの着脱位置により、前記枠本体の両端縁間の距離が調整されるように構成したものであるため、その面ファスナーの着脱位置を変えて枠本体の両端縁間の距離を調整することによって、枠本体への生地の着脱や、生地を緊張状態にする等の作業を行うことができるので、調整用ボルトで生地の着脱や緊張状態の維持を行っていた従来の刺繍枠に比べて、生地の着脱の作業や生地を緊張状態にする作業を非常に容易に行うことができるという効果がある。
【００３６】
また、面ファスナーで調整機構が構成されているので、従来の刺繍枠のように、調整用ボルト，ナット，フランジ等からなる調整ネジを備えた刺繍枠に比べて刺繍全体の製造コストも著しく低減することができるという効果がある。
【００３７】
さらに、面ファスナー調整機構が、枠本体に固定される固定用面ファスナーと、該固定用面ファスナーに着脱可能な着脱用面ファスナーで構成され、着脱用面ファスナーで枠本体の両端縁間の距離を調整できるように構成した場合には、仮に枠本体が破損せず、着脱用面ファスナーのみが破損した場合であっても、着脱用面ファスナーのみを新たなものと取り替えることで、枠本体はそのまま使用することができるという効果がある。
【図面の簡単な説明】
【図１】一実施形態の刺繍枠の平面図。
【図２】同要部拡大平面図。
【図３】着脱用面ファスナーを剥離する際の拡大平面図。
【図４】着脱用面ファスナーを引っ張った状態で噛合させた際の拡大平面図。
【図５】他実施形態の要部拡大平面図。
【図６】他実施形態の要部拡大平面図。
【図７】他実施形態の要部拡大平面図。
【図８】従来例を示す平面図。
【図９】従来例を示す要部拡大一部破断平面図。
【符号の説明】
１…枠本体　　　　　　　　２…内枠
３…外枠　　　　　　　　　５…面ファスナー調節機構
６…固定用面ファスナー　　７…固定用面ファスナー
８…着脱用面ファスナー　　９…着脱用面ファスナー
【図１】
2004107821.tif 000003
【図２】
2004107821.tif 000004
【図３】
2004107821.tif 000005
【図４】
2004107821.tif 000006
【図５】
2004107821.tif 000007
【図６】
2004107821.tif 000008
【図７】
2004107821.tif 000009
【図８】
2004107821.tif 000010
【図９】
2004107821.tif 000011